【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
インタレース走査によって第１及び第２のフィールドの画像信号を生成する撮像手段と、
自装置の振れを検出して検出信号を出力する振れ検出手段と、
前記撮像手段によって生成された画像信号と前記振れ検出手段によって出力された検出信号とに基づき、所定の撮影手法による撮影中であるか否かを判断する判断手段と、
前記判断手段によって前記所定の撮影手法による撮影中であると判断されたとき、前記振れ検出手段によって出力された検出信号と、前記撮像手段における被写体焦点情報とから、第１フィールド撮影時点と第２フィールド撮影時点との間に発生した自装置の被写体に対する振れを相殺するためのフィールド振れ補正量を算出するフィールド揺量算出手段と
を有することを特徴とする画像記録装置。
【請求項２】
前記所定の撮影手法はパンニング撮影であることを特徴とする請求項１記載の画像記録装置。
【請求項３】
自装置の振れによる撮影画像の振れを、前記撮像手段の光軸を偏向することによって補正する光学振れ補正手段と、
インタレース表示向けの手ぶれ補正値に、前記フィールド揺量算出手段によって算出されたフィールド振れ補正量を加算して得られた値を用いて前記光学振れ補正手段を駆動する駆動手段と、
前記駆動手段によって駆動されている前記光学振れ補正手段が動作しているときに前記撮像手段で生成された画像信号を記録する記録手段と
を更に有することを特徴とする請求項１記載の画像記録装置。
【請求項４】
自装置の振れによる撮影画像の振れを、前記撮像手段の撮像エリアから画像出力すべき範囲を選択することによって補正する電子振れ補正手段と、
インタレース表示向けの手ぶれ画像抽出範囲に、前記フィールド揺量算出手段によって算出されたフィールド振れ補正量を加算して得られた範囲を用いて前記電子振れ補正手段に補正を行わせる駆動手段と、
前記駆動手段によって駆動されている前記電子振れ補正手段が動作しているときに前記撮像手段で生成された画像信号を記録する記録手段と
を更に有することを特徴とする請求項１記載の画像記録装置。
【請求項５】
画像情報を記録するとともに、前記フィールド揺量算出手段によって算出されたフィールド振れ補正量を、画像再生時の振れ相殺用の副データとして記録する補正データ付加手段を更に有することを特徴とする請求項１記載の画像記録装置。
【請求項６】
インタレース走査によって第１及び第２のフィールドの画像信号を生成する撮像手段と、
画角変更指令信号に従い画角を変更する変倍撮影手段と、
前記撮像手段によって生成された画像信号と前記変倍撮影手段へ入力される画角変更指令信号とに基づき、所定の撮影手法による撮影中であるか否かを判断する判断手段と、
前記判断手段によって前記所定の撮影手法による撮影中であると判断されたとき、前記変倍撮影手段の変倍速度から、第１フィールド撮影時点と第２フィールド撮影時点との間に発生した前記変倍撮像手段による画角の変更量を相殺するためのフィールド変倍補正量を算出するフィールド変倍量算出手段と
を有することを特徴とする画像記録装置。
【請求項７】
インタレース走査によって画像信号を生成する撮像手段と、
変倍撮影光学系の画角を制御する画角制御手段と、
前記撮像手段によって生成された画像信号と前記画角制御手段による画角制御状態とに基づき、所定の撮影手法による撮影中であるか否かを判断する判断手段とを有し、
前記画角制御手段は、前記判断手段によって前記所定の撮影手法による撮影中であると判断されたとき、１フレーム単位で画角制御を行なうことを特徴とする画像記録装置。
【請求項８】
前記所定の撮影手法はズーミング撮影であることを特徴とする請求項６または請求項７記載の画像記録装置。
【請求項９】
前記撮像手段の撮像エリアから画像出力すべき範囲を選択することによって変倍する画角制御手段と、
前記フィールド変倍量算出手段によって算出されたフィールド変倍補正量を用いて前記画角制御手段を動作させる駆動手段と、
前記駆動手段によって駆動されている前記画角制御手段が動作しているときに前記撮像手段で生成された画像信号を記録する記録手段と
を更に有することを特徴とする請求項６記載の画像記録装置。
【請求項１０】
画像情報を記録するとともに、前記フィールド変倍量算出手段によって算出されたフィールド変倍補正量を、画像再生時の変倍相殺用の副データとして記録する補正データ付加手段を更に有することを特徴とする請求項６記載の画像記録装置。
【請求項１１】
インタレース走査によって第１及び第２のフィールドの画像信号を生成する撮像ステップと、
自装置の振れを検出して検出信号を出力する振れ検出ステップと、
前記撮像ステップによって生成された画像信号と前記振れ検出ステップによって出力された検出信号とに基づき、所定の撮影手法による撮影中であるか否かを判断する判断ステップと、
前記判断ステップによって前記所定の撮影手法による撮影中であると判断されたとき、
前記振れ検出ステップによって出力された検出信号と、前記撮像ステップにおける被写体焦点情報とから、第１フィールド撮影時点と第２フィールド撮影時点との間に発生した自装置の被写体に対する振れを相殺するためのフィールド振れ補正量を算出するフィールド揺量算出ステップと
を有することを特徴とする画像記録方法。
【請求項１２】
インタレース走査によって第１及び第２のフィールドの画像信号を生成する撮像ステップと、
画角変更指令信号に従い画角を変更する変倍撮影ステップと、
前記撮像ステップによって生成された画像信号と前記変倍撮影ステップで使用した画角変更指令信号とに基づき、所定の撮影手法による撮影中であるか否かを判断する判断ステップと、
前記判断ステップによって前記所定の撮影手法による撮影中であると判断されたとき、
前記変倍撮影ステップによる画角変更速度から、第１フィールド撮影時点と第２フィールド撮影時点との間に発生した前記変倍撮像ステップによる画角の変更量を相殺するためのフィールド変倍補正量を算出するフィールド変倍量算出ステップと
を有することを特徴とする画像記録方法。
【請求項１３】
インタレース走査によって画像信号を生成する撮像ステップと、
変倍撮影光学系の画角を制御する画角制御ステップと、
前記撮像ステップによって生成された画像信号と前記画角制御ステップによる画角制御状態とに基づき、所定の撮影手法による撮影中であるか否かを判断する判断ステップとを有し、
前記画角制御ステップは、前記判断ステップによって前記所定の撮影手法による撮影中であると判断されたとき、１フレーム単位で画角制御を行なうことを特徴とする画像記録方法。
【請求項１４】
インタレース走査によって第１及び第２のフィールドの画像信号を生成する撮像ステップと、
自装置の振れを検出して検出信号を出力する振れ検出ステップと、
前記撮像ステップによって生成された画像信号と前記振れ検出ステップによって出力された検出信号とに基づき、所定の撮影手法による撮影中であるか否かを判断する判断ステップと、
前記判断ステップによって前記所定の撮影手法による撮影中であると判断されたとき、前記振れ検出ステップによって出力された検出信号と、前記撮像ステップにおける被写体焦点情報とから、第１フィールド撮影時点と第２フィールド撮影時点との間に発生した自装置の被写体に対する振れを相殺するためのフィールド振れ補正量を算出するフィールド揺量算出ステップと
を有することを特徴とするコンピュータで実行可能なプログラム。
【請求項１５】
インタレース走査によって第１及び第２のフィールドの画像信号を生成する撮像ステップと、
画角変更指令信号に従い画角を変更する変倍撮影ステップと、
前記撮像ステップによって生成された画像信号と前記変倍撮影ステップで使用した画角変更指令信号とに基づき、所定の撮影手法による撮影中であるか否かを判断する判断ステップと、
前記判断ステップによって前記所定の撮影手法による撮影中であると判断されたとき、前記変倍撮影ステップによる画角変更速度から、第１フィールド撮影時点と第２フィールド撮影時点との間に発生した前記変倍撮像ステップによる画角の変更量を相殺するためのフィールド変倍補正量を算出するフィールド変倍量算出ステップと
を有することを特徴とするコンピュータで実行可能なプログラム。
【請求項１６】
インタレース走査によって画像信号を生成する撮像ステップと、
変倍撮影光学系の画角を制御する画角制御ステップと、
前記撮像ステップによって生成された画像信号と前記画角制御ステップによる画角制御状態とに基づき、所定の撮影手法による撮影中であるか否かを判断する判断ステップとを有し、
前記画角制御ステップは、前記判断ステップによって前記所定の撮影手法による撮影中であると判断されたとき、１フレーム単位で画角制御を行なうことを特徴とするコンピュータで実行可能なプログラム。
【手続補正２】
【補正対象書類名】明細書
【補正対象項目名】発明の名称
【補正方法】変更
【補正の内容】
【発明の名称】画像記録装置、画像記録方法、及びプログラム
【手続補正３】
【補正対象書類名】明細書
【補正対象項目名】０００１
【補正方法】変更
【補正の内容】
【０００１】
本発明は、画像記録装置、画像記録方法、及びプログラムに関し、特に、インタレース走査ビデオ信号を非インタレースに変換して記録する画像記録装置、該画像記録装置に適用される画像記録方法、及び該画像記録方法をコンピュータに実行させるためのプログラムに関する。
【手続補正４】
【補正対象書類名】明細書
【補正対象項目名】０００８
【補正方法】変更
【補正の内容】
【０００８】
本発明はこのような問題点に鑑みてなされたものであって、動きのある被写体映像を非インタレース再生しても、被写体部分でフィールド間にギザギザが発生しないようにした画像記録装置、画像記録方法、及びプログラムを提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
さらに、上記画像記録装置に適用される画像記録方法、及び該画像記録方法をコンピュータに実行させるためのプログラムが提供される。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】０１７９
【補正方法】変更
【補正の内容】
【０１７９】
１００  撮像部（撮像手段、変倍撮影手段）
１０１  焦点検出部
１０２  振れ検出部（振れ検出手段）
１０３  パンニング判断部（判断手段）
１０４  振れ補正制御部
１０５  フィールド揺量算出部（フィールド揺量算出手段）
１０６  画角制御部
１０７  ズーミング判断部（判断手段）
１０８  フィールド変倍量算出部（フィールド変倍量算出手段）
１０９  補正メタデータ付加取得部
１１０  記録再生部
１１１  非インタレース補正部
１１２  非インタレース表示器
１１３  インタレース表示器